(57)【要約】【課題】電子メールを利用して、複数人で１通の寄せ書きメールを容易に作成可能にする技術を提供する。【解決手段】携帯電話等のユーザ端末に、寄せ書きメール編集に参加している複数の携帯電話端末間における通信内容の処理を行う機能を有するメール回覧処理部１０と、各端末において寄せ書きメール編集を行って回覧されてきたメールに付加する寄せ書きメールデータ編集・閲覧部２０と、ネットワークに接続されたメールサーバとの間でのメールの送受信機能を有するメーラ３０を備える寄せ書きメール機能を搭載し、管理者となった端末から、１通のメールを順々に回覧し、回覧されているメールを受け取った各人がメールの編集を行うことで１通の寄せ書きメールを作成する。その際、他者が書いたメール本文や添付ファイルの閲覧・編集も可能にする。【選択図】図１
2010033502.tif 000002
【特許請求の範囲】
【請求項１】
ネットワークに接続された複数のユーザ端末の中の１つが管理端末となり、該管理端末から１通のメールの回覧を開始し、該メールを受信した前記ユーザ端末で編集された寄せ書きメールを前記メールに付加して次のユーザ端末へ送信することにより、電子メールによる寄せ書き編集を行うことを特徴とするユーザ端末を用いた電子メールによる寄せ書き編集方法。
【請求項２】
前記管理端末は、前記複数のユーザ端末を一巡して編集された寄せ書きメールに対する再編集の要請があるとき、該編集された寄せ書きメールを再編集するために再度回覧することを特徴とする請求項１に記載のユーザ端末を用いた電子メールによる寄せ書き編集方法。
【請求項３】
前記各ユーザ端末は、他のユーザ端末において編集されて前記メールに付加された寄せ書きメールの内容を変更して前記他のユーザ端末に送信し、前記他のユーザ端末から前記変更に対する許可を受けたとき、前記他のユーザ端末の寄せ書きメールの内容を変更することを特徴とする請求項１または２に記載のユーザ端末を用いた電子メールによる寄せ書き編集方法。
【請求項４】
ネットワークに接続された複数のユーザ端末を用いた電子メールによる寄せ書き編集システムであって、
前記各ユーザ端末に、１通のメールを寄せ書き用メールとして回覧する機能を有するメール回覧処理部と、回覧されてきた前記メールに自端末で編集された寄せ書きメールを付加する機能を有する寄せ書きメールデータ編集・閲覧部を備え、
前記複数のユーザ端末の中から管理端末に選定されたユーザ端末の前記回覧処理部により、前記メールの回覧開始と、前記各ユーザ端末により付加された前記寄せ書きメールデータからなる寄せ書き編集終了の制御が行われることを特徴とする電子メールによる寄せ書き編集システム。
【請求項５】
前記メール回覧処理部は、受信した寄せ書きメールを送信する次のユーザ端末を決定する送信処理機能と、自端末で編集した寄せ書きメールに対する他のユーザ端末による編集の承認・非承認を設定する承認処理機能と、再編集を希望する参加者を確認し、編集権の授受を制御する編集権管理機能を備え、前記寄せ書きメールデータ編集・閲覧部は、自端末によるメール編集、および他のユーザ端末で編集されたメールの閲覧・編集を可能にするメール編集・閲覧機能を備えていることを特徴とする請求項４に記載の電子メールによる寄せ書き編集システム。
【請求項６】
前記メール編集・閲覧機能は、前記他のユーザ端末で編集されたメールを変更する編集案を提示する機能と、前記他のユーザ端末から前記変更に対する許可が得られたとき、前記他のユーザ端末の寄せ書きメールの内容を前記編集案で置き換える機能を有していることを特徴とする請求項５に記載の電子メールによる寄せ書き編集システム。
【請求項７】
前記メール編集・閲覧機能は、自端末によるメール本文の編集、および他のユーザ端末で編集されたメールの閲覧・編集を可能にするメール本文編集・閲覧機能と、自端末による添付ファイルの編集、および他のユーザ端末で編集された添付ファイルの閲覧・編集を行う添付ファイル編集・閲覧機能とからなることを特徴とする請求項５または６に記載の電子メールによる寄せ書き編集システム。
【請求項８】
請求項４に記載の電子メールによる寄せ書きシステムに用いられるユーザ端末であって、
１通のメールを寄せ書き用メールとして回覧する機能、管理端末として操作されたとき前記メールの回覧開始、および前記各ユーザ端末により付加された前記寄せ書きメールデータからなる寄せ書き編集の終了を制御する機能を有するメール回覧処理部と、回覧されてきた前記メールに自端末で編集された寄せ書きメールを付加する機能を有する寄せ書きメールデータ編集・閲覧部を備えていることを特徴とするユーザ端末。
【請求項９】
前記メール回覧処理部は、受信した寄せ書きメールを送信する次のユーザ端末を決定する送信処理機能と、自端末で編集した寄せ書きメールに対する他のユーザ端末による編集の承認・非承認を設定する承認処理機能と、再編集を希望する参加者を確認し、編集権の授受を制御する編集権管理機能を備え、前記寄せ書きメールデータ編集・閲覧部は、自端末によるメール編集、および他のユーザ端末で編集されたメールの閲覧・編集を可能にするメール編集・閲覧機能を備えていることを特徴とする請求項８に記載のユーザ端末。
【請求項１０】
前記メール編集・閲覧機能は、前記他のユーザ端末で編集されたメールを変更する編集案を提示する機能と、前記他のユーザ端末から前記変更に対する許可が得られたとき、前記他のユーザ端末の寄せ書きメールの内容を前記編集案で置き換える機能を有していることを特徴とする請求項９に記載のユーザ端末。
【請求項１１】
前記メール編集・閲覧機能は、自端末によるメール本文の編集、および他のユーザ端末で編集されたメールの閲覧・編集を可能にするメール本文編集・閲覧機能と、自端末による添付ファイルの編集、および他のユーザ端末で編集された添付ファイルの閲覧・編集を行う添付ファイル編集・閲覧機能とからなることを特徴とする請求項９または１０に記載のユーザ端末。
【請求項１２】
前記ユーザ端末は、携帯電話端末であることを特徴とする請求項８〜１１の何れか１項に記載のユーザ端末。
【請求項１３】
コンピュータを、寄せ書き用のメールデータを編集する手段、ネットワークを介して回覧されてきた１通の寄せ書きメールに前記編集したメールデータを付加して次端末へ回覧する手段、管理端末として操作されたとき前記寄せ書きメールの回覧開始、および前記寄せ書きメールが完成したとき寄せ書き編集の終了を制御する手段として機能させるためのプログラム。
【発明の詳細な説明】
【技術分野】
【０００１】
本発明は、携帯電話、ＰＣ（パソコン）等のネットワークを介して通信可能な複数のユーザ端末間で１通の寄せ書きメールを編集する技術に関する。
【背景技術】
【０００２】
携帯電話は現在広く普及し、若年層においても使用されるようになってきた。平成１８年通信利用動向調査によると６〜１２歳で２５％、１３〜１９歳で８４％の普及率となっている。それに伴い、携帯電話を利用したメールの送受信によるコミュニケーションの機会が増加している。そのため、メール機能を利用した新しいコミュニケーション手段を生み出すことで、より豊かなコミュニケーションを実現させることが可能となっている。
【０００３】
従来、卒業や結婚等の記念に、複数の人からのメッセージを色紙に寄せ書きして贈る習慣があるが、その際、携帯電話等の通信端末（ユーザ端末）が備えている電子メール機能を利用して、複数の通信端末から送信された寄せ書きを編集して１つの色紙メール等を作成し、被贈呈者端末等に送信する技術が、特許文献１〜３等に記載されている。
【０００４】
【特許文献１】特開２００２−００７３８７号公報
【特許文献２】特開２００３−０３０１８２号公報
【特許文献３】特開２００３−１６７８２６号公報
【発明の開示】
【発明が解決しようとする課題】
【０００５】
電子メールにより、複数人で１通のメールを作成する場合、他者が１通の同じメールを編集することはできないが、他者から受信したメールを引用してメール作成することは可能である。しかし、複数人で他者のメール引用していきながら、１つの文章（メール）を作成することは容易ではない。例えば、他者が作成したメールの本文を意図せずに改ざんしてしまう危険がある。
【０００６】
また、上記特許文献に記載の電子メールを利用した寄せ書きメールの編集技術においても、他者が書いた寄せ書きメール本文や添付ファイルを閲覧・編集することはできない。さらに、複数人で１通のメールを編集するために競合が発生する懸念がある。
【０００７】
本発明の目的は、上述した課題を解決し、複数人で１通の寄せ書きメールを容易に作成可能にする技術を提供することにある。
【課題を解決するための手段】
【０００８】
本発明の寄せ書きメール作成方法は、ネットワークに接続された複数のユーザ端末の中の１つが管理端末となり、該管理端末から１通のメールの回覧を開始し、該メールを受信した前記ユーザ端末で編集された寄せ書きメールを前記メールに付加して次のユーザ端末へ送信することにより、電子メールによる寄せ書き編集を行うことを特徴とする。
【０００９】
本発明の電子メールによる寄せ書き編集システムは、ネットワークに接続された複数のユーザ端末を用いた電子メールによる寄せ書き編集システムであって、前記各ユーザ端末に、１通のメールを寄せ書き用メールとして回覧する機能を有するメール回覧処理部と、回覧されてきた前記メールに自端末で編集された寄せ書きメールを付加する機能を有する寄せ書きメールデータ編集・閲覧部を備え、前記複数のユーザ端末の中から管理端末に選定されたユーザ端末の前記回覧処理部により、前記メールの回覧開始と、前記各ユーザ端末により付加された前記寄せ書きメールデータからなる寄せ書き編集終了の制御が行われることを特徴とする。
【００１０】
本発明の電子メールによる寄せ書き編集システムを搭載したユーザ端末は、１通のメールを寄せ書き用メールとして回覧する機能、管理端末として操作されたとき前記メールの回覧開始および前記各ユーザ端末により付加された前記寄せ書きメールデータからなる寄せ書き編集の終了を制御する機能を有するメール回覧処理部と、回覧されてきた前記メールに自端末で編集された寄せ書きメールを付加する機能を有する寄せ書きメールデータ編集・閲覧部を備えていることを特徴とする。
【００１１】
本発明のプログラムは、コンピュータに、１通のメールを寄せ書き用メールとして回覧する機能、管理端末として操作されたとき前記メールの回覧開始、および前記各ユーザ端末により付加された前記寄せ書きメールデータからなる寄せ書き編集の終了を制御する機能、回覧されてきた前記メールに自端末で編集された寄せ書きメールを付加する機能を実現させることを特徴とする。
【発明の効果】
【００１２】
本発明によれば、複数人に対して１通のメールを順々に回覧し、回覧されているメールを受け取った各人がメールの編集を行うことによって、１通のメールを作成できる効果がある。
【００１３】
また、複数人で１通のメールを編集・閲覧する際の競合の発生を抑制する目的でメールの編集・閲覧を順次処理としているため、複数人の編集でもメールデータの完全性を損なうことなくメール編集・閲覧をすることが可能である。
【発明を実施するための最良の形態】
【００１４】
図１は、本発明の寄せ書きメール機能を搭載した携帯電話端末の実施形態を示すブロック図である。なお、図１では、寄せ書きメール機能以外の携帯電話端末の構成については、図示を省略している。
【００１５】
本実施形態における寄せ書きメール機能１は、メール回覧処理部１０と寄せ書きメールデータ編集・閲覧部２０と、メーラ３０で構成される。寄せ書きメールデータとは、本寄せ書きメール機能を搭載した携帯電話端末を使用する複数人で１通のメールを編集する場合を考慮したメールデータのことを指す。
【００１６】
本システムにおけるメール回覧処理部１０は、寄せ書きメール編集に参加している複数の携帯電話端末間における通信内容の処理を行う機能を有しており、送信処理機能１１、承認処理機能１２、および編集権管理機能１３で構成されている。また、寄せ書きメールデータ編集・閲覧部２０は、本実施形態の寄せ書きメール編集を各端末において実行するための機能を有しており、メール本文編集・閲覧機能２１と、添付ファイル編集・閲覧機能２２で構成される。メーラ３０は、ネットワークに接続されたメールサーバとの間でのメールの送受信機能を有している。
【００１７】
これらの機能は、本実施形態の携帯電話端末に備えられて、前記機能を実施するためのプログラムが格納されたメモリ、および該メモリに格納されたプログラムを読み出して実行するＣＰＵ（Central Processing Unit）とからなるコンピュータによるプログラム制御によって実現可能である。
【００１８】
図２は、本実施形態における寄せ書きメールデータの構成例を示している。寄せ書きメールデータとは、本寄せ書きシステムにおいて使用される、複数人で１通のメールを編集する場合を考慮したメールデータのことを指す。
【００１９】
寄せ書きメールデータは、回覧ルートデータ(a)、本文データ(b)、添付ファイルデータ(c)、送信元目的データ(d)から構成される。回覧ルートデータ(a)は、本実施形態の寄せ書きメール作成に加わっている携帯電話端末のメールアドレス、回覧の順番、管理種別、再編集権申請フラグで構成されるデータである。回覧する人数分レコードが存在し、本回覧データを基に寄せ書きメールデータを回覧順番に従って順々に送信（回覧）する。
【００２０】
また、管理種別部分によって管理者と参加者が区別される。寄せ書きメールデータを最初に作成した人が管理者となり、編集権を管理する権限を持つこととなる。さらに再編集権申請フラグを用いることでどの参加者が再編集権を求めているかを判別することができる。再編集を希望する場合には、再編集権申請フラグが“TRUE”となり、再編集を希望しない場合には、再編集権申請フラグが“FALSE”となる。
【００２１】
本文データ(b)とは、自身が作成した本人本文部と他者が作成した他者本文部(e)で構成されるデータである。添付ファイルデータ(c)とは、自身が添付した本人添付ファイル部と、他者が添付した他者添付ファイル部(f)で構成されるデータである。
【００２２】
送信元目的データ(d)は、送信されてきた寄せ書きメールデータがどのような目的で送信されてきたのかを判別するために用いる。送信元目的データとして、本実施形態では、"EDIT"、"EDITR"、"REQ"、"REQR"、"RREQ"、“RREQR”、“HEAR”、“END”の８つがフラグとして存在する。
【００２３】
“EDIT”は、最初の編集のための回覧目的であることを示す。“EDITR”は、再編集のための回覧目的であることを示す。"REQ"は、編集時の承認処理要求目的であることを示す。"REQR"は、再編集時の承認処理要求目的であることを示す。"RREQ"は、編集時の承認処理要求に対する回答目的であることを示す。“RREQR”は、再編集時の承認処理要求に対する回答目的であることを示す。“HEAR”は、再編集権が必要であるか参加者に問い合わせる目的であることを示す。“END”は、寄せ書きメールデータが完成したことを示す。
【００２４】
メール回覧処理部１０の送信処理機能１１は、寄せ書きメールデータの送信処理を行う機能である。送信元目的データ(d)に基づいて、宛先を判断し送信を行う。送信元目的フラグが“EDIT”または“HEAR”である場合は、回覧ルートデータ(a)から次の回覧先のメールアドレスを導出し、そのメールアドレスへ送信する。自身の順番が最後の場合は、順番が１番目の管理者へ送信する。
【００２５】
送信元目的フラグが“EDITR”である場合は、順番が自身以降で再編集権申請フラグが“TRUE”である参加者のメールアドレスへ送信する。再編集権申請フラグが“TRUE”となっている参加者の中で自身の順番が最後の場合は、順番が１番目の管理者へ送信する。即ち、本システムの参加者が再編集を希望している場合には、該当するメールアドレスの再編集権申請フラグが“TRUE”となっているので、再編集権申請フラグが“TRUE”となっている参加者に対してのみ、その回覧の順番に従って寄せ書きメールデータが送信（回覧）される。
【００２６】
本システムの参加者は再編集を行いたい際に本フラグを“TRUE”にし、再編集が終わった際、または再編集を希望しない際には本フラグを“FALSE”にする。基本的に参加者はいつでも、再編集権フラグを更新することが可能である。
【００２７】
また、送信元目的フラグが編集時の承認処理要求目的であることを示す"REQ"または再編集時の承認処理要求目的であることを示す"REQR"の場合は、全ての変更部の作成者へ寄せ書きメールデータを同時送信し、承認処理機能１２を用いた承認処理の実施を要請する。即ち、現在の回覧者が他人の寄せ書きに変更あるいは修正を加えた場合に、当該変更あるいは修正を加えた他人に対してのみ同時送信して、この変更可否の問い合わせが行われる。
【００２８】
送信元目的フラグが"RREQ"または“RREQR”の場合は、承認処理の要求元（現在の回覧者）へ送信する。即ち、送信元目的フラグが"REQ"または"REQR"の寄せ書きメールデータを受信した他者が、自己の本文内容に対して編集を行った現在の回覧者に対する回答を送信するためのフラグである。
【００２９】
承認処理機能１２は、寄せ書きメールデータの他者本文部(e)または他者添付ファイル部(f)の変更内容を表示し、他者からの変更を受けた参加者・管理者に対して、自己の本文内容に対する他者からの編集案に対して、変更許可("TRUE")または変更不許可("FALSE")を示すフラグを記載することを促す機能である。
【００３０】
なお図２の、本文データ(b)、および添付ファイルデータ(c)の内容は、メールアドレスｂｂｂ＠ｙｙｙ．ｎｅ．ｊｐの参加者により作成、添付された本文データ、添付ファイルデータの例を示しており、他者本文部(e)、および他者添付ファイル部(f)の内容は、メールアドレスｂｂｂ＠ｙｙｙ．ｎｅ．ｊｐの参加者の端末の表示状態を示している。
【００３１】
即ち図２は、メールアドレスｂｂｂ＠ｙｙｙ．ｎｅ．ｊｐの参加者が、本文データ(a)として本人本文部に表示されている本文を作成入力するとともに、添付ファイルデータ(b)として本人添付ファイル部に表示されている写真を添付し、また、再編集を希望して、他者本文部(e)のメールアドレスａａａ＠ｘｘｘ．ｎｅ．ｊｐの参加者により作成された本文内容に対して修正（編集）を行い、さらに、他者添付ファイル部(f)のメールアドレスｃｃｃ＠ｚｚｚ．ｎｅ．ｊｐの参加者により添付された添付ファイルに対して修正（編集）を行ったところ、メールアドレスａａａ＠ｘｘｘ．ｎｅ．ｊｐの参加者により作成された本文に対する修正（編集）は不許可“FALSE”となり、メールアドレスｃｃｃ＠ｚｚｚ．ｎｅ．ｊｐの参加者により添付されたファイルに対する修正（編集）は許可“TRUE”された状態を示している。
【００３２】
変更許可フラグは、初期値として“−”が設定されており、本ファイルの編集者が参加者の編集案への変更を許可するか判断した後に付けるものである。例えば、本ファイルの編集者であるｃｃｃ＠ｚｚｚ．ｎｅ．ｊｐがｂｂｂ＠ｙｙｙ．ｎｅ．ｊｐの参加者により、ｃｃｃ＠ｚｚｚ．ｎｅ．ｊｐが添付したファイルデータに対して編集が行われた場合（編集案が提示された場合）、編集された添付ファイルをｃｃｃ＠ｚｚｚ．ｎｅ．ｊｐが閲覧し、編集を許可するかしないかを判断し、“−”から“TRUE”または“FALSE”へと内容を変更する。
【００３３】
編集権管理機能１３は、１度目の寄せ書きメールデータ編集のための回覧が終了した後、再編集を行いたい参加者を確認し、編集権の授受を制御する機能である。本機能は管理者のみで使用できる機能である。
【００３４】
管理者は、送信元目的フラグ“EDIT”による１度目の寄せ書きメールデータ編集のための回覧終了後、再編集を行いたい参加者を確認するために、寄せ書きメールデータの送信元目的フラグを“HEAR”とし、送信処理機能１１を呼び出して、回覧ルートデータ(a)を元に各参加者へ再編集権申請フラグを付記してもらうための回覧を行う。
【００３５】
送信元目的データ(d)が“HEAR”の寄せ書きメールデータを受信した参加者は、回覧ルートデータの自身の行の再編集権申請フラグを編集する。再編集したい場合は“TRUE”を付記し、再編集しない場合は“FALSE”を付記する。
【００３６】
回覧ルートデータ(a)に記載されている参加者へ順番に回覧していき、送信元目的データが“HEAR”である回覧を最後の回覧順番の参加者から受信した管理者は、寄せ書きメールデータの再編集権申請フラグを参照することにより、再編集を行いたい参加者の有無を確認する。再編集を行いたい参加者がいる（再編集権申請フラグが“TRUE”であるメールアドレスが存在する）場合は、送信元目的データを“EDITR”として、送信処理機能１１を呼び出して再編集のための回覧を開始する。
【００３７】
再編集を行いたい参加者がいない場合は、寄せ書きメールデータが完成したものとして、管理者は送信元目的データ“END”を、管理者（自身）へ送信する。管理者通信端末は、送信元目的データが“END”であることを読み込むことにより本寄せ書きメールデータ作成処理を終了させるためのプロセスを実行する。
【００３８】
メール本文編集・閲覧機能２１は、図２に示す寄せ書きメールデータの本人本文および他者本文データを編集、閲覧する機能である。また、添付ファイル編集・閲覧機能は、図２に示す寄せ書きメールデータの本人添付ファイルおよび他者添付ファイルを編集、閲覧する機能である。
【００３９】
本システムの全体動作としては次のような流れとなる。最初に管理者により寄せ書きメールへ参加する参加者のメールアドレスおよび回覧順番が設定され、次に、管理者から順に寄せ書きメールを作成しながら、寄せ書きメールデータの回覧が行われる。回覧後、再編集を要求する参加者がいれば、再度回覧を行う。再編集を要求する参加者がいなくなれば、寄せ書きメールデータは完成となり、処理は終了する。
【００４０】
図３は、本実施形態における最初の寄せ書きメールデータの回覧の処理を示すフローチャートであり、図４は、本実施形態における寄せ書きメールデータの再回覧の処理を示すフローチャートである。以下、図１〜図４を参照して本実施形態の動作について詳細に説明する。
【００４１】
寄せ書きメールデータを回覧するためのメールアドレスおよび回覧順番が設定された後、最初に管理者がメール本文編集・閲覧機能２１および添付ファイル編集・閲覧機能２２を使用して本人本文部、本人添付ファイル部を編集する（Ｓ１、Ｓ２）。その後、回覧をするために送信元目的データを"EDIT"として（Ｓ３）、送信処理機能１１を呼び出し実行する（Ｓ４）。その際に管理者の編集した本人本文部および本人添付ファイル部は他者の本文部・添付ファイル部へ移し、本人本文部・本人添付ファイル部は空とし、次回覧者へ送信する準備を行う。
【００４２】
すなわち、今まで編集していた本人本文部・本人添付ファイル部の内容を切り取り、他者本文部(e)および他者添付ファイル部(f)のレコードとして貼り付ける（次回覧者から見れば、現状の本文部・添付ファイル部は他者のものとなるため）。次回覧者はその空となった本人本文部・添付ファイル部を編集することとなる。
【００４３】
受信した次回覧者は自身が管理者か参加者かを判別する（Ｓ５）。受信した次回覧者が管理者自身（Ｓ５，ＹＥＳ）である場合は、回覧が一巡したことになるので最初の寄せ書きメールデータの回覧の処理は終了となる。受信した次回覧者が参加者（Ｓ５，ＮＯ）であれば、メール本文編集・閲覧機能および添付ファイル編集・閲覧機能を使用して本人本文部、本人添付ファイル部を閲覧・編集する（Ｓ６、Ｓ７）。このとき、他者の本文部・添付ファイル部を編集しない場合（Ｓ８，ＮＯ）には、回覧をするために送信元目的データを"EDIT"として（Ｓ３）、送信処理機能１１を呼び出し実行する（Ｓ４）。その際に当該参加者の編集した本人本文部および本人添付ファイル部は他者の本文部・添付ファイル部へ移し、本人本文部・本人添付ファイル部は空とする。
【００４４】
一方、他者の本文部・添付ファイル部を編集した場合（Ｓ８，ＹＥＳ）には、送信元目的データを"REQ"として送信処理機能１１を実行することにより、編集した他者の本文部・添付ファイル部を付した寄せ書きメールデータを該当する他者に送信する（Ｓ９）。複数の他者の本文部・添付ファイル部に対して編集を行った場合には、各他者に対して、それぞれ編集した他者の本文部・添付ファイル部を付した寄せ書きメールデータを同時送信する。
【００４５】
送信元目的データが"REQ"となっている寄せ書きメールデータを受信した他者（管理者・参加者）は、承認処理機能１２を用いて承認・非承認を決定する（Ｓ１０）。決定した結果（“TRUE”または“FALSE”）を変更許可フラグへ記載し、送信元目的データを"RREQ"として、送信処理機能１１を実行し、承認要求者（現回覧者）へ返信する（Ｓ１１）。
【００４６】
その後、現回覧者は返信された寄せ書きメールデータの変更許可フラグを参照し、その結果を他者本文部・他者添付ファイル部の内容に反映する。承認("TRUE")であれば、自身の編集案に置き換え、非承認("FALSE")であれば他者の編集状態のままとする（Ｓ１２）。
【００４７】
そして、編集した本人本文部および本人添付ファイル部は他者の本文部・添付ファイル部へ移し、本人本文部・本人添付ファイル部は空とし、次回覧者へ送信する準備を行い、送信元目的データを"EDIT"として、送信処理機能１１を用いて次回覧者へ送信する（Ｓ３，Ｓ４）。最終的に次回覧者が管理者（Ｓ５，ＹＥＳ）であれば、回覧が終了したこととなる。
【００４８】
次に、１度目の回覧が終了した後、まず管理者が必要に応じてメール本文編集・閲覧機能２１および添付ファイル編集・閲覧機能２２を使用して本人本文部、本人添付ファイル部を再編集する（Ｓ２１）。その後、編集権管理機能１３を呼び出し、送信元目的フラグを“HEAR”あるいは“EDITR”にした回覧処理を実行する（Ｓ２２）。その際、管理者の再編集した本人本文部および本人添付ファイルは他者の本文部・添付ファイル部へ移し（以前のデータがあるため、上書きとなる）、本人本文部・本人添付ファイル部は空とし、次回覧者へ送信する準備を行う。
【００４９】
受信した次回覧者（編集権を得た者）は自身が管理者か参加者かを判別する（Ｓ２３）。参加者（Ｓ２３，ＮＯ）であれば、送信元目的データが"HEAR"であるか、"EDITR"であるかを判定する（Ｓ２５）。"HEAR"であれば、回覧ルートデータ(a)の再編集権申請フラグ部を記載して送信処理機能１１を実行する（Ｓ２６）。
【００５０】
Ｓ２５で送信元目的データが"EDITR"である場合は、メール本文編集・閲覧機能２１および添付ファイル編集・閲覧機能２２を使用して本人本文部、本人添付ファイル部を閲覧・編集する（Ｓ２７、Ｓ２８）。また、他者の本文部・添付ファイル部を編集した場合（Ｓ２９，ＹＥＳ）には、送信元目的データを"REQR"として送信処理機能１１を実行する。
【００５１】
送信元目的データが"REQR"となっている寄せ書きメールデータを受信した他者（管理者・参加者）は、承認処理機能１２を用いて承認・非承認を決定する（Ｓ３１）。決定した結果（“TRUE”または“FALSE”）を変更許可フラグへ記載し、送信元目的データを"RREQR"として、送信処理機能１１を実行することにより、承認要求者（現回覧者）へ返信する（Ｓ３２）。
【００５２】
その後、現回覧者は返信された寄せ書きメールデータの変更許可フラグを参照し、その結果を他者本文部・他者添付ファイル部の内容に反映する。承認("TRUE")であれば、自身の編集案に置き換え、非承認("FALSE")であれば他者の編集状態のままとする（Ｓ３３）。
【００５３】
そして、編集した本人本文部および本人添付ファイル部は他者の本文部・添付ファイル部へ移し、本人本文部・本人添付ファイル部は空とし、次回覧者へ送信する準備を行い、送信元目的データを"EDITR"として、送信処理機能１１を用いて次回覧者へ送信する（Ｓ３４）。
【００５４】
（Ｓ２３）において、次回覧者が管理者となった場合（Ｓ２３，ＹＥＳ）には、再回覧が終了したことを示す。再回覧が終了したら、管理者は必要に応じて、再度編集権管理機能１３を実行する。編集権管理機能１３を実行することで、３度目の回覧への準備が始まることとなる。送信元目的データを"HEAR"とし、再編集権を参加者が求めているかを調査し、求めている参加者がいれば、送信元目的データを"EDITR"として３度目の回覧による再編集が行われる。
【００５５】
最終的に次回覧者が管理者であり、送信元目的データが"END"であれば（再編集権を求めるものがいなくなれば）、寄せ書きメールデータ作成が終了したこととなる。
【００５６】
本実施形態によれば、予め指定された複数の携帯電話端末間でネットワークを介して１通の寄せ書きメールを回覧し、該メールを受信した携帯電話端末が作成した寄せ書きを前記メールに付加して次の携帯電話端末へ順次回覧するとともに、各携帯電話端末は、他の携帯電話端末により作成されて前記メールに付加されている寄せ書きを前記他の携帯電話端末の了解の元に編集可能にしているので、複数人で１通のメールを編集・閲覧する際に生ずる競合を無くし、メールデータの完全性を損なうことなくメール編集・閲覧を実現することができる。
【００５７】
なお、上記実施形態では、携帯端末として携帯電話機を用いて実行する場合を説明したが、本発明は、携帯電話機に限定されず、ＰＨＳ(Personal Handyphone System)、ＰＤＡ(Personal Data Assistance，Personal Digital Assistants：個人向け携帯型情報通信機器）等の携帯端末装置、あるいはＰＣ（パソコン）等のネットワークにアクセスして、メールが送受信可能な適宜のユーザ端末に対して、本発明の電子メールによる寄せ書き処理機能を搭載することができる。
【図面の簡単な説明】
【００５８】
【図１】本発明の寄せ書きメール機能を搭載した携帯電話端末の実施形態を示すブロック図である。
【図２】本実施形態における寄せ書きメールデータの構成例を示す図である。
【図３】本実施形態における最初の寄せ書きメールデータの回覧の処理を示すフローチャートである。
【図４】本実施形態における寄せ書きメールデータの再回覧の処理を示すフローチャートである。
【符号の説明】
【００５９】
１  寄せ書きメール機能
１０  メール回覧処理部
１１  送信処理機能
１２  承認処理機能
１３  編集管理機能
２０  寄せ書きメールデータ編集閲覧部
２１  メール本文編集・閲覧機能
２２  添付ファイル編集・閲覧機能
３０  メーラ
【図１】
2010033502.tif 000003
【図２】
2010033502.tif 000004
【図３】
2010033502.tif 000005
【図４】
2010033502.tif 000006